(57)【要約】【課題】ガスや蒸気に対する防護能力を向上させたマスクを提供する。【解決手段】マスク１は、装着時にユーザの口を覆い、吸気時に閉じ排気時に開く排気弁２４を有するマスク本体２と、マスク本体２の口に対向する側の面に重ねられた活性炭フィルタ４と、を備える。【選択図】図２
0003227796.tif 000002
【実用新案登録請求の範囲】
【請求項１】
装着時にユーザの口を覆い、吸気時に閉じ排気時に開く排気弁を有するマスク本体と、
前記マスク本体の前記口に対向する側の面に重ねられた活性炭フィルタと、
を備える、
マスク。
【請求項２】
前記マスク本体と前記活性炭フィルタとの間に配置され、前記マスク本体の形状を保持するインナーフレームを更に備える、
請求項１記載のマスク。
【請求項３】
前記活性炭フィルタを複数備える、
請求項１又は請求項２記載のマスク。
【請求項４】
前記活性炭フィルタは、前記マスク本体に対して取外し可能に取り付けられている、
請求項１〜３のいずれか一項に記載のマスク。
【請求項５】
前記マスク本体の外周縁部に設けられ、前記活性炭フィルタの外周縁部を保持する保持部を更に備える、
請求項４記載のマスク。
【請求項６】
前記保持部は、前記マスク本体の外周縁部の全長にわたって形成され柔軟性をもつ部材で構成されている、
請求項５記載のマスク。
【考案の詳細な説明】
【技術分野】
【０００１】
本考案は、マスクに関する。
【背景技術】
【０００２】
特許文献１には、従来のマスクが記載されている。特許文献１記載のマスクは、使い捨て式マスクである。この使い捨て式マスクは、椀状フィルタと、椀状フィルタの周縁部から径方向内方へ延びる接顔布と、しめ紐と、を備える。
【０００３】
使い捨て式マスクは、接顔布を口の周りに当て、椀状フィルタによって口及び鼻を覆った状態で、しめ紐を頭部に掛けることで、ユーザに装着される。
【先行技術文献】
【特許文献】
【０００４】
【特許文献１】特開２０１９−９８１１０号公報
【考案の概要】
【考案が解決しようとする課題】
【０００５】
しかしながら、上記使い捨て式マスクでは、ガス及び蒸気（以下、「ガス等」という）内での使用に耐えられるような防護能力はなく、防毒マスクとして使用することは難しいという問題がある。
【０００６】
本考案は、上記事情に鑑みてなされ、ガス等に対する防護能力を向上させたマスクを提供することを目的とする。
【課題を解決するための手段】
【０００７】
本考案に係る一態様のマスクは、装着時にユーザの口を覆い、吸気時に閉じ排気時に開く排気弁を有するマスク本体と、前記マスク本体の前記口に対向する側の面に重ねられた活性炭フィルタと、を備える。
【０００８】
また、上記マスクは、上記態様において、前記マスク本体と前記活性炭フィルタとの間に配置され、前記マスク本体の形状を保持するインナーフレームを更に備えることが好ましい。
【０００９】
また、上記マスクは、上記態様において、前記活性炭フィルタを複数備えることが好ましい。
【００１０】
また、上記マスクでは、上記態様において、前記活性炭フィルタは、前記マスク本体に対して取外し可能に取り付けられていることが好ましい。
【００１１】
また、上記マスクは、上記態様において、前記マスク本体の外周縁部に設けられ、前記活性炭フィルタの外周縁部を保持する保持部を更に備えることが好ましい。
【００１２】
また、上記マスクでは、上記態様において、前記保持部は、前記マスク本体の外周縁部の全長にわたって形成され柔軟性をもつ部材で構成されていることが好ましい。
【考案の効果】
【００１３】
本考案に係る上記態様のマスクは、ガス等に対する防護能力を向上させることができる、という利点がある。
【図面の簡単な説明】
【００１４】
【図１】図１は、本考案に係る一実施形態のマスクの前側から見た斜視図である。
【図２】図２は、同上のマスクの後側から見た分解斜視図である。
【図３】図３は、同上のマスクの後側から見た斜視図である。
【図４】図４は、実施例１〜４と比較例１に係るマスクの性能試験結果のグラフである。
【考案を実施するための形態】
【００１５】
１．実施形態
以下、本実施形態に係るマスク１について、詳細に説明する。
【００１６】
本実施形態に係るマスク１は、使い捨て式マスクである。マスク１は、図１に示すように、マスク本体２に対して、一対のストラップ６が取り付けられている。マスク１は、マスク本体２をユーザの口を覆うようにして配置し、ストラップ６をユーザの後頭部に掛けることで、ユーザに装着される。マスク１は、図２に示すように、マスク本体２と、保持部３と、活性炭フィルタ４と、インナーフレーム５と、一対のストラップ６と、を備える。
【００１７】
マスク本体２は、マスク１の主体を構成する部分であり、ユーザが装着した時に、少なくとも口を覆う。本実施形態に係るマスク本体２は、装着時に、口だけでなく鼻を覆うように構成されている。マスク本体２は、主に、防じんフィルタとして作用する。マスク本体２は、椀状に形成されており、後側に面する開口面（図３参照）がユーザの口に対向するようにして配置される。
【００１８】
マスク本体２は、図１に示すように、左右方向において中央から一方側の半分（ここでは左側の半分）を構成する第一半部２１と、中央から他方側の半分（ここでは右側の半分）を構成する第二半部２２と、で構成された、いわゆる立体型のマスク１である。第一半部２１と第二半部２２とは、左右方向の中央において上下方向に連続する稜線２３を境界にして、一体に形成されている。このため、マスク本体２は、稜線２３に沿って折り曲げて、第一半部２１と第二半部２２とを重ねた状態にしやすく、例えば、ユーザの衣服の内ポケットに収納しやすい。第一半部２１と第二半部２２とは、例えば、溶着、接着、縫合等によって接合されるが、一つの材料で一体に形成されてもよい。
【００１９】
マスク本体２の材質は、例えば、ポリプロピレン、ナイロン、ポリウレタン等が挙げられる。マスク本体２は、織布であってもよいし、不織布であってもよい。
【００２０】
本実施形態に係るマスク本体２は、Ｎ９５マスク相当のマスクにより構成される。ここでいう「Ｎ９５マスク」とは、米国国立労働安全衛生研究所（ＮＩＯＳＨ；National Institute for Occupational Safety and Health）が定めた規格をクリアしたマスクを意味する。マスク本体２としては、Ｎ９５マスクに限らず、例えば、厚生労働省が定めた規格である、Ｎ９５マスクと同等の性能のＤＳ２区分マスクであってもよい。ただし、本考案では、マスク本体２は、例えば、Ｎ９９マスク、Ｎ１００マスクであってもよいし、Ｎ９５以下の性能のマスクであってもよいし、これらの規格に準拠したマスクでなくてもよい。
【００２１】
マスク本体２は、図１に示すように、第一半部２１に取り付けられた排気弁２４を有する。排気弁２４は、マスク本体２とユーザの顔との間の空間が陽圧になると開き、陰圧又は大気圧になると閉じる弁を有する。すなわち、排気弁２４は、マスク１がユーザに装着された状態で、吸気時に閉じかつ排気時に開くように構成されている。
【００２２】
マスク本体２は、ストラップ６が取り付けられる一対の取付け部２５を有する。取付け部２５は、マスク本体２の左右方向の端部に形成されている。各取付け部２５は、ストラップ６の長手方向の任意の位置で、ストラップ６を保持することができるように構成されている。これによって、本実施形態に係るマスク１は、ストラップ６の長さを調整することができる。
【００２３】
ストラップ６は、マスク１をユーザに装着する際に頭部に掛けられる。本実施形態に係るマスク１は、一対のストラップ６を備える。一対のストラップ６のうちの一方のストラップ６は、紐部６０と、引掛け具６１と、を備える。他方のストラップ６は、紐部６０のみで構成されている。マスク１は、一対の紐部６０を後頭部に回し、紐部６０同士を引掛け具６１で連結することで、ユーザの頭部に装着される。
【００２４】
保持部３は、図２に示すように、マスク本体２の外周縁部に設けられている。保持部３は、図３に示すように、活性炭フィルタ４をマスク本体２におけるユーザの口に対向する側の面（マスク本体２の内面という場合がある）に重ねた状態で、活性炭フィルタ４の外周縁部を位置決めする。活性炭フィルタ４の外周縁部は、マスク本体２と保持部３とでなす入隅部に位置しており、これによって位置決めされている。
【００２５】
保持部３は、活性炭フィルタ４の外周縁部を保持することができれば、形状に制限はなく、例えば、縫製糸、クリップ、プラスチック具、接着剤等で構成されてもよいが、本実施形態に係る保持部３は、柔軟性をもつ布（この布を「接顔布３１」という）によって構成されている。
【００２６】
接顔布３１は、マスク本体２の外周縁部の全長にわたって形成されており、弾性的に変形し得る。接顔布３１は、柔軟性をもっているため、凹凸のある顔の表面に対して、フィットすることができる上に、ユーザの肌触りを向上させることができる。接顔布３１は、例えば、ナイロン繊維又はポリエステル繊維よりなる伸縮性を有する生地と、ポリウレタン等の軟質樹脂とを積層したシート体によって構成される。
【００２７】
接顔布３１は、マスク本体２の外周縁部から、マスク本体２の開口面に沿って内側に突出している。保持部３とマスク本体２との接合は、例えば、縫合、溶着等によって実現される。接顔布３１は、マスク本体２の外周縁部に沿って連続し、略環状（周方向に無端状）に形成されている。接顔布３１の内周縁でなす開口は、略三角形状に形成されており、当該開口にユーザの口及び鼻が通される。
【００２８】
活性炭フィルタ４は、マスク本体２の内面に重ねられたフィルタである。活性炭フィルタ４は、活性炭を利用したフィルタを意味し、例えば、繊維状活性炭フィルタ、粒状活性炭フィルタ等が挙げられる。本考案に係る活性炭フィルタ４は、繊維状活性炭フィルタである。活性炭フィルタ４に高濃度ガスを含む空気を通過させると、活性炭フィルタ４は、高濃度ガスを吸着し、大部分の高濃度ガスを除去することができる。
【００２９】
活性炭フィルタ４は、マスク本体２に対して、取外し可能に取り付けられる。活性炭フィルタ４は、使用によってガスを吸着するため、一定時間使用した後に交換することが好ましいが、その交換の目安は、例えば、４時間程度である。ただし、この使用時間は、ガス濃度等の使用環境（汚染濃度）に応じて異なるため、一例に過ぎない。
【００３０】
また、本実施形態に係る活性炭フィルタ４は、二つ以上の複数の活性炭フィルタ４を重ねて取り付けてもよい。すなわち、本実施形態に係るマスク１は、マスク本体２に対して、一又は複数の活性炭フィルタ４を取り付け可能であるため、活性炭フィルタ４の数量を調整することで、使用環境（汚染濃度）に応じて適切な防護能力を有するマスク１とすることができる。
【００３１】
活性炭フィルタ４は、第一半部４１と第二半部４２とで構成されており、椀状に形成されている。第二半部４２は、排気弁２４を内側から覆う。また、活性炭フィルタ４は外側に膨らむように湾曲しており、ユーザの口と活性炭フィルタ４との間に空間を形成することができる。活性炭フィルタ４は、マスク本体２の内面に対して取り付けられると、活性炭フィルタ４の外周縁部が、マスク本体２と保持部３とでなす入隅部に入り込んで、マスク本体２に対して位置決めされる。
【００３２】
インナーフレーム５は、図２に示すように、マスク本体２と活性炭フィルタ４との間に配置されている。インナーフレーム５は、マスク本体２の形状を保持する。インナーフレーム５によれば、マスク本体２とユーザの口との間に空間を設けた状態で、マスク本体２を保持することができるため、ユーザは呼吸や会話がしやすいという利点がある。また、インナーフレーム５によって、マスク１に保形性が得られるため、ユーザの顔に対するマスク本体２のフィット感が高くなり、マスク本体２とユーザの顔との間の空気の漏れを抑制することができる。
【００３３】
インナーフレーム５は、マスク本体２に対して取外し可能に取り付けられている。インナーフレーム５は、マスク本体２の内面に沿って形成されており、略椀状に形成されている。インナーフレーム５は、図２に示すように、複数の線状体によって構成されている。ただし、インナーフレーム５としては、例えば、網目状、複数の透孔を有する板状（パンチングメタル状）等によって構成されてもよい。
【００３４】
インナーフレーム５は、弾性変形可能に構成されている。インナーフレーム５は、例えば、エラストマ、ＡＢＳ樹脂、ポリエチレン樹脂、ポリスチレン、ポリプロピレン樹脂、ＰＥＴ等により構成される。
【００３５】
このように、本実施形態に係るマスク１は、排気弁２４を有するマスク本体２の内面に重なる活性炭フィルタ４を備えるため、簡略な構成のマスク１で、ガス等に対する防護能力を向上させることができ、防毒マスクに近い防護能力を発揮することができる。しかも、マスク１では、活性炭フィルタ４がマスク本体２の内面に重ねられるため、マスク１とユーザの口との間の空間が陽圧になりやすいが、排気弁２４を有することでこれを解消することができ、マスク１を装着したユーザの呼吸が妨げられるのを防ぐことができる。
【００３６】
また、本実施形態に係るマスク１は、活性炭フィルタ４が、マスク本体２に対して取外し可能に取り付けられているため、性能が劣化した際に活性炭フィルタ４の交換が可能であり、常に、適切な防護能力を発揮することができる。
【００３７】
また、本実施形態に係るマスク１は、複数の活性炭フィルタ４を取り付けることができるため、ガス環境下にいる時間に応じた適切な防護能力を発揮することができ、使用環境（汚染濃度）に応じて、適切な防護能力を設定することができる。
【００３８】
また、マスク１は、活性炭フィルタ４の外周縁部を保持する保持部３を有しているため、活性炭フィルタ４の交換が容易にできる。しかも、この保持部３は、マスク本体２の外周縁部の全長にわたって形成され、かつ柔軟性をもつ部材（接顔布３１）で構成されているため、ユーザの顔（口鼻周り）にフィットしやすく、また肌触りもよい。
【００３９】
また、本実施形態に係るマスク１は、インナーフレーム５を備えるため保形性が高く、マスク本体２を、マスク本体２とユーザの口との間に空間を形成した状態に保つことができる。これにより、ユーザの呼吸や会話等を妨げるのを防ぐことができるし、マスク１とユーザの顔との間からの空気漏れを抑制することができる。
【００４０】
２．変形例
上記実施形態は、本考案の様々な実施形態の一つに過ぎない。実施形態は、本考案の目的を達成できれば、設計等に応じて種々の変更が可能である。以下、実施形態の変形例を列挙する。以下に説明する変形例は、適宜組み合わせて適用可能である。
【００４１】
上記実施形態に係るマスク本体２は、いわゆる立体型マスクであったが、本考案では、マスク本体２は、例えば、プリーツ型、平型等の他の形状を採用することもできる。
【００４２】
上記実施形態に係るストラップ６は、いわゆるフック式のしめひもであったが、２本紐式であってもよい。また、ストラップ６は、ユーザの後頭部に回す構成に限らず、ユーザの耳に掛けるように構成されてもよい。
【００４３】
本明細書にて、「略平行」、又は「略直交」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００４４】
また、本明細書において「端部」及び「端」等のように、「…部」の有無で区別した表現が用いられている。例えば、「端部」とは、「端」を含む一定の範囲を持つ部分を意味する。他の「…部」を伴った表現についても同様である。
【００４５】
３．実施例
以下、実施例により本考案を更に詳細に説明する。ただし、本考案に係るマスクは、以下の実施例に限定されない。
【００４６】
実施例１に係るマスクとして、マスク本体に、排気弁付きのＮ９５マスクを使用し、活性炭フィルタに、活性炭布１枚を使用した。
【００４７】
実施例２に係るマスクとして、マスク本体に、排気弁付きのＮ９５マスクを使用し、活性炭フィルタとして活性炭布２枚を使用した。
【００４８】
実施例３に係るマスクとして、マスク本体に、排気弁付きのＮ９５マスクを使用し、活性炭フィルタとして活性炭布３枚を使用した。
【００４９】
実施例４に係るマスクとして、マスク本体に、排気弁付きのＮ９５マスクを使用し、活性炭フィルタとして活性炭布４枚を使用した。
【００５０】
比較例に係るマスクとして、マスク本体に、排気弁付きのＮ９５マスクを使用し、活性炭フィルタを使用しなかった。
【００５１】
実施例１〜４に係るマスクと比較例に係るマスクに対し、試験ガス84ppmを、呼吸速度と略同等の30L/minで、外側から内側に向かって通過させた。そして、各マスクの内側の試験ガスの濃度（漏洩濃度）を、試験開始からの時間ごとに測定した。
【００５２】
結果を図４にグラフで示す。グラフは、試験開始からの時間（通気時間）と、各マスクの内側の試験ガスの濃度（漏洩濃度）との関係を示す。横軸が「通気時間」を示し、縦軸が「漏洩濃度」を示す。
【００５３】
図４のグラフから、比較例に係るマスクに比べて、実施例１〜４のマスクは、漏洩濃度が少ないことが分かる。したがって、実施例１〜４に係るマスクは、活性炭フィルタを設けることで、ガスに対する防護能力が向上したことが分かった。
【００５４】
また、実施例１〜４を比較すると、活性炭フィルタの枚数が多いほど、一定の時間における漏洩濃度が小さいことが分かる。したがって、ガスの濃度に応じた適切な防護能力を得るには、活性炭フィルタの枚数を調整すればよいことがわかった。
【００５５】
また、実施例１〜４を比較すると、活性炭フィルタの枚数が多いほど、一定の漏洩濃度に達するまでの通気時間が長いことが分かる。したがって、高濃度ガスの環境下にいる時間に応じて適切な防護能力を得るには、活性炭フィルタの枚数を調整すればよいことがわかった。
【符号の説明】
【００５６】
１        マスク
２        マスク本体
２４      排気弁
３        保持部
３１      接顔布
４        活性炭フィルタ
５        インナーフレーム
【図１】
0003227796.tif 000003
【図２】
0003227796.tif 000004
【図３】
0003227796.tif 000005
【図４】
0003227796.tif 000006